(57)【要約】【課題】収容物が少量でも見栄えがして購買欲を高める二重容器を提供することを目的とする。【解決手段】二重容器１は、その端部に口部２を設けた首部３、内径が前記首部３より大きな側部４及び底部５を有する透視可能なガラス製外容器６と、前記外容器６内部において前記口部２から前記首部３を経て前記底部５に達するように下方に伸ばし、その上端に筒口７を有するとともに、その側面に前記外容器６外側から視認し得る表示８を設けた筒状の厚紙製内容器９と、前記口部２に被嵌する軟質樹脂製中蓋１０と、この中蓋１０の上から口部２に被せ、前記首部３に螺合して口部２を閉じる硬質樹脂製キャップ１１とからなる。【選択図】図２
2009241946.tif 000002
【特許請求の範囲】
【請求項１】
その端部に口部を設けた首部、内径が前記首部の内径より大きな側部及び底部を有する透視可能な外容器と、前記外容器とは別体に形成し、その上端に筒口を有するとともに、その底面を閉塞し、その側面には前記外容器外側から視認し得る表示を設け、前記外容器内部において前記口部から前記首部を経て下方に伸ばすように、前記筒口を前記口部内側に固定することによって外容器に取り付けた内容器とからなる二重容器であって、前記内容器の筒口外径と前記外容器の口部内径とを同じ大きさに形成したことを特徴とする二重容器。
【請求項２】
その端部に口部を設けた首部、内径が前記首部の内径より大きな側部及び底部を有する透視可能な外容器と、前記外容器とは別体に形成し、その上端に筒口を有するとともに、その底面を閉塞し、その側面には前記外容器外側から視認し得る表示を設け、前記外容器内部において前記口部から前記首部を経て下方に伸ばすように、前記筒口を前記口部内側に固定することによって外容器に取り付けた内容器とからなる二重容器であって、外容器の口部の内径を内容器の筒口外径より大きく形成するとともに、外容器の首部及び側部の内径をこの首部に対応する内容器の外径より大きく形成し、外容器と内容器の間に形成される空間を前記首部及び前記口部を介して外部と連通したことを特徴とする二重容器。
【発明の詳細な説明】
【技術分野】
【０００１】
本発明は、外容器内部に内容器を配置してなる二重容器に関する。
【背景技術】
【０００２】
従来、容器内部を二つの空間に分割した容器（プラスチックボトル）が提案されている（特許文献１参照）。このプラスチックボトルは、二つの空間が平行に伸びるよう二本のパイプが一体化された形状のバリソン（成型材料）を樹脂成型し、このバリソンに樹脂成型することによって、縦に半割りした形状の一対の容器を一本のボトル形状となるように形成したものであり、縦に半割りした形状の二つの空間を有し、それぞれの空間に同類異物、たとえばシャンプーとリンスやコーラとジュースなどを入れるようにしたものである。
【特許文献１】特開２０００−２４７３２３号公報
【発明の開示】
【発明が解決しようとする課題】
【０００３】
前記従来の容器（プラスチックボトル）は、二本のパイプが一体化された形状のバリソンを成型加工し、このバリソンに対して、縦に半割りした形状の一対の容器を一本のボトル形状とするという複雑な樹脂成型を行わなければならず、手間と経費がかかるという問題がある。
【０００４】
本発明は、前記問題を解消することを課題とし、該課題を解決した内容器を備える二重容器を提供することを目的とする。
【課題を解決するための手段】
【０００５】
上記目的を達成するために、請求項１に記載の本発明は、その端部に口部を設けた首部、内径が前記首部の内径より大きな側部及び底部を有する透視可能な外容器と、前記外容器内部において前記口部から前記首部を経て下方に伸ばして底面を閉塞し、その上端に筒口を有するとともに、その側面に前記外容器外側から視認し得る表示を設けた内容器とからなる二重容器であって、前記内容器の筒口外径と前記外容器の口部内径とを同じ大きさに形成したものであり、外容器と内容器を各別に形成し、前記容器内側に内容器を固定するだけで二重容器を形成できる。
【０００６】
また、請求項２に記載の本発明は、その端部に口部を設けた首部、内径が前記首部の内径より大きな側部及び底部を有する透視可能な外容器と、前記外容器内部において前記口部から前記首部を経て下方に伸ばして底面を閉塞し、その上端に筒口を有する内容器とからなる二重容器であって、外容器の口部の内径を内容器の筒口外径より大きく形成するとともに、外容器の首部の内径をこの首部に対応する内容器の外径より大きく形成し、外容器と内容器の間に形成される空間を前記首部及び前記口部を介して外部と連通したものであり、外容器と内容器を各別に形成し、前記容器内側に内容器を固定するだけで二重容器を形成できる。
【発明の効果】
【０００７】
上記請求項１に記載の本発明によれば、外容器と内容器を各別に形成するので製造が容易であるほか、内容器の外周に適宜な表示を施し、該内容器に所定の収容物、たとえば家庭では一回の使用量が少なく保存が長期にわたる唐辛子などの香辛料を収容する容器に適用すれば、収容物である唐辛子などの香辛料を内容器に収容することによって、容器全体の大きさを小さくせずに見栄えよく収容量を制限できるので短期間で使い切ることが可能となるうえ、内容器の表示が外部から見えるので購入者の目を引き、販売促進効果をもつという効果を奏する。
【０００８】
また、上記請求項２に記載の本発明は、外容器と内容器を各別に形成するので製造が容易であるほか、内容器の外周に適宜な表示を施し、該内容器に所定の収容物、たとえば家庭では一回の使用量が少なく保存が長期にわたる唐辛子などの香辛料を収容する容器に適用すれば、収容物である唐辛子などの香辛料を内容器に収容することによって、容器全体の大きさを小さくせずに見栄えよく収容量を制限できるので短期間で使い切ることが可能となるうえ、内容器の表示が外部から見えるので購入者の目を引き、販売促進効果をもち、また、内容器と外容器の間の空間に、前記内容器に収容したものとは異なる収容物を収容することができるという効果を奏する。
【発明を実施するための最良の形態】
【０００９】
次に、本発明を唐辛子容器に適用した好適な第１実施形態を添付図面の図１〜図３に基づいて説明する。ここにおいて、図１は各部を分離した状態の正面図、図２は同じく縦断面図、図３は図１のＡ−Ａ線断面図である。
【００１０】
図１〜図３に示すように、二重容器１は、その端部に口部２を設けた首部３、内径が前記首部３の内径より大きな側部４及び底部５を有する透視可能なガラス製外容器６と、前記外容器６内部において前記口部２から前記首部３を経て前記底部５に達するように下方に伸ばして前記底部５で底面を閉塞し、その上端に筒口７を有するとともに、その側面に前記外容器６外側から視認し得る表示８を設けた筒状の厚紙製内容器９と、前記口部２に被嵌する軟質樹脂製中蓋１０と、この中蓋１０の上から口部２に被せ、前記首部３に螺合して口部２を閉じるための硬質樹脂製キャップ１１とからなる。前記外容器６と前記内容器９とは、それぞれ各別に作成し、内容器９の筒口７外周部分を外容器６の口部２面に接着し、前記内容器９の下端は前記外用器６の底部５に接着してある。
【００１１】
図１及び図２に示すように、前記外容器６の口部７の内径と前記内容器９の筒口７の外径は、同じ大きさに形成し、前記口部２に内容器６を挿入しその下端が底部５に達し、内容器６を首部３の内面にも接着してある。このように外容器６内に内容器９を配置した状態においては、前記外容器６と前記内容器９の間に形成される空間１２は外部に対して密閉状態となる。前記空間１２には収容物を収容しない。
【００１２】
図１及び図２に示すように、軟質樹脂製の中蓋１０は、外容器６の口部２の縁部に離脱可能に嵌合するように構成し、その中央には、逆さにして振った際に唐辛子が適当量排出する透孔１３を設けてある。また、図１及び図２に示すように、硬質樹脂製のキャップ１１は、側部内周に、外容器６の首部３外周に形成した雄螺旋に螺合する雌螺旋を設けてある。
【００１３】
以上のように構成した二重容器１は、内容器９に唐辛子を入れ、内蓋１０及びキャップ１１で口部２を閉じ、商品として販売されるが、購入者は、外容器６を透して内側の内容器９の斬新な表示８を視認して購買意欲がわくのである。そして、収容物である唐辛子の収容量は、内容器９の内容積に対応した小さい収容量に抑えられるので短期間で使い切ることができ、長期間保存による品質の劣化を生ずる虞がないものとなる。また、二重容器は従来のこの種容器と同一大にできるから、使い勝手もよい。
【００１４】
続いて、本発明の第２実施形態を添付図面の図４〜図６に基づいて説明する。ここにおいて、図４は各部を分離した状態の正面図、図５は同じく縦断面図、図６は図４のＢ−Ｂ線断面図である。
【００１５】
図４〜図６に示すように、二重容器２１は、その端部に口部２２を設けた首部２３、内径が前記首部２３より大きな側部２４及び底部２５を有する透視可能なガラス製外容器２６と、前記外容器２６内部において前記口部２２から前記首部２３を経て前記底部２５に達するように下方に伸ばして前記底部２５で底面を閉塞し、その上端に筒口２７を有するとともに、その側面に前記外容器２６外側から視認し得る表示２８を設けた筒状の厚紙製内容器２９と、前記口部２２に被嵌する軟質樹脂製中蓋３０と、この中蓋３０の上から口部２２に被せ、前記首部２３に螺合して口部２２を閉じるための硬質樹脂製キャップ３１とからなる。
【００１６】
図４及び図５に示すように、前記内容器２９の筒口２７外径の大きさは、前記外容器２６の口部２７内径より小さく形成されるとともに、前記内容器２９の外容器２６の首部２３及び側部２４に対応する部分の外径も該首部２３及び側部２４の内径より小さく形成してあり、前記外容器２６と前記内容器２９の間に形成される空間３２は前記首部２３と内容器２９の上部との間の通路３３及び口部２２と筒口２７との間に形成された開口３４を介して二重容器２１外部に連通した状態となる。そして前記空間３２には他の香辛料などを収容物として収容することが可能である。前記外容器２６と前記内容器２９とは、それぞれ各別に作成し、内容器２９の筒口７外周の一部分を外容器２６の口部２２面に接着し、前記内容器２９の下端は前記外用器２６の底部２５に接着してある。
【００１７】
図４及び図５に示すように、軟質樹脂製の中蓋３０は、外容器２６の口部２２の縁部に離脱可能に嵌合可能に構成し、その中央からずらした位置に、唐辛子や他の香辛料を排出するための透孔３５を設けてある。このように前記透孔３５を中央からずらして設けることによって、必要に応じて前記透孔３５を、前記筒口２７あるいは開口３４に対応させるように、中蓋３０を口部２２縁に沿って回転変位させ、空間３２あるいは内容器２９内と外部を選択的に連通することが可能である。また、図４及び図５に示すように、硬質樹脂製のキャップ２１は、側部内周に、外容器２６の首部２３外周に形成した雄螺旋に螺合する雌螺旋を設けてある。
【００１８】
以上のように構成した二重容器２１は、内容器２９に唐辛子を入れ、中蓋３０及びキャップ３１で口部２２を閉じ、商品として販売されるが、購入者は、外容器２６を透して内側の内容器２９の斬新な表示２８を視認して購買意欲がわくのである。そして、収容物である唐辛子の収容量は、内容器２９の内容積に対応した小さい収容量に抑えられるので短期間に使い切ることができ、長期保存による品質の劣化を生ずる虞がないものとなる。また、二重容器は従来のこの種容器と同一大にできるから、使い勝手もよい。さらに、必要に応じて、外容器２６と内容器２９との間の空間に唐辛子とは異なる香辛料を収容可能である。
【００１９】
なお、本発明は、上記各実施形態になんら限定されるものではなく、例えば、内容器９，２９の底面は外容器６，２６の底部内面に当接して外容器６，２６と内容器９，２９間の空間１２，３２に対して閉塞するのではなく、内容器９，２９に底部を設けてもよい。また、収容物は、唐辛子などの香辛料でなくともよいほか、外容器６，２６及び内容器９，２９はプラスチック製であってもよい。
【図面の簡単な説明】
【００２０】
【図１】第１実施形態における各部を分離した状態の正面図。
【図２】第１実施形態における同じく縦断面図。
【図３】第１実施形態における図１のＡ−Ａ線断面図。
【図４】第２実施形態における各部を分離した状態の正面図。
【図５】第２実施形態における同じく縦断面図。
【図６】第２実施形態における図４のＢ−Ｂ線断面図。
【符号の説明】
【００２１】
１    二重容器
２    口部
３    首部
４    側部
５    底部
７    筒口
８    表示
９    内容器
１０    中蓋
１１    キャップ
１２    空間
１３    透孔
２１    二重容器
２２    口部
２３    首部
２４    側部
２５    底部
２７    筒口
２８    表示
２９    内容器
３０    中蓋
３１    キャップ
３２    空間
３３    通路
３４    開口
３５    透孔
【図１】
2009241946.tif 000003
【図２】
2009241946.tif 000004
【図３】
2009241946.tif 000005
【図４】
2009241946.tif 000006
【図５】
2009241946.tif 000007
【図６】
2009241946.tif 000008